(57)【要約】【課題】如何なる撮影状況においても右手でしっかりとドライブユニットを保持でき、揺れのない安定した映像が撮影できる使い勝手の良いテレビレンズを提供すること。【解決手段】撮影光学系を有するレンズ本体と、前記撮影光学系を電動駆動するための駆動部材を内蔵するドライブユニットで構成され、前記レンズ本体はテレビカメラに着脱自在に取付け可能であり、前記ドライブユニットは前記レンズ本体に着脱自在であると同時に手で掌握できる形状を有しているテレビレンズにおいて、前記ドライブユニットの外装面には、前記テレビカメラの録画を指示するＶＴＲスイッチ手段と、前記ドライブユニットを掌握する手の親指の位置に弾性部材からなる指置き手段を設け、前記ＶＴＲスイッチ手段と前記指置き手段は近傍に配置し、更に、表面の弾性部材を一体的に成型する。【選択図】図１
2006267322.tif 000002
【特許請求の範囲】
【請求項１】
撮影光学系を有するレンズ本体と、前記撮影光学系を電動駆動するための駆動部材を内蔵するドライブユニットで構成され、前記レンズ本体はテレビカメラに着脱自在に取付け可能であり、前記ドライブユニットは前記レンズ本体に着脱自在であると同時に手で掌握できる形状を有しているテレビレンズにおいて、
前記ドライブユニットの外装面には、前記テレビカメラの録画を指示するＶＴＲスイッチ手段と、前記ドライブユニットを掌握する手の親指の位置に弾性部材から成る指置き手段を設け、前記ＶＴＲスイッチ手段と前記指置き手段は近傍に配置し、更に、表面の弾性部材を一体的に成型することを特徴とするテレビレンズ。
【発明の詳細な説明】
【技術分野】
【０００１】
本発明は、テレビジョン撮影に用いられるテレビレンズに関するものである。
【背景技術】
【０００２】
テレビジョン撮影に用いられる撮影装置は、テレビカメラとテレビレンズで構成され、撮影用途に適したテレビレンズをテレビカメラに装着して撮影する。その中で、ニュース取材用途に用いる肩担ぎ撮影用のテレビレンズは、レンズ本体とその近傍に設けたドライブユニットで構成される。
【０００３】
レンズ本体には、撮影光学系とそれを調整操作するマニュアルリングがあり、又、ドライブユニットの内部には、このマニュアルリングを電動駆動するためのモータや制御基板やＣＰＵ、外装面には録画を開始するＶＴＲスイッチや、レンズの電動駆動を指示する各種スイッチが設けられている。
【０００４】
このような肩担ぎカメラの撮影スタイルは、カメラマンの肩にテレビカメラを載せ、右手でドライブユニットを保持して、左手でレンズのマニュアルリングを操作する形態が最も一般的である。右手はドライブユニットを支持してテレビレンズの重量を受け止めるだけでなく、親指によるＶＴＲスイッチの操作や、その他の指でレンズ電動駆動を指示するスイッチ操作をするため、ドライブユニットの形状はレンズのホールド性やスイッチの操作性を考慮した形状に工夫されている。この中でもＶＴＲスイッチは、録画を指示する最も重要なスイッチであるために、ＶＴＲスイッチ近傍の外装面には特定のスペースを設け、ドライブユニットを右手で握った時には、親指がそのスペースに自然にフィットし、更に録画を指示する時には、その近傍に位置するＶＴＲスイッチを瞬時に前述したスペースとＶＴＲスイッチを操作できる位置関係に配置している（特許文献１）。
【０００５】
【特許文献１】特開平３−０４８８０５号公報
【発明の開示】
【発明が解決しようとする課題】
【０００６】
ニュース取材の撮影スタイルは多種多様であり、前述したようにテレビカメラをカメラマンの肩に担ぐ撮影スタイルだけでなく、時にはテレビカメラをカメラマンの頭の上に担ぎ上げ、上方から被写体を撮影する撮影状況も発生する。このようなケースでは、右手で相当量の質量を有するテレビカメラとレンズの全重量を支えるために、ドライブユニットの表面上の指が滑り、撮影装置全体をしっかり保持することが困難なために、揺れの激しい映像を撮影することに繋がる危険性がある。
【０００７】
本発明は、上記問題に鑑みてなされたもので、その目的とする処は、如何なる撮影状況においても右手でしっかりとドライブユニットを保持でき、揺れのない安定した映像が撮影できる使い勝手の良いテレビレンズを提供することである。
【課題を解決するための手段】
【０００８】
上記課題を達成するため、本発明は、撮影光学系を有するレンズ本体と、前記撮影光学系を電動駆動するための駆動部材を内蔵するドライブユニットで構成され、前記レンズ本体はテレビカメラに着脱自在に取付け可能であり、前記ドライブユニットは前記レンズ本体に着脱自在であると同時に手で掌握できる形状を有しているテレビレンズにおいて、前記ドライブユニットの外装面には、前記テレビカメラの録画を指示するＶＴＲスイッチ手段と、前記ドライブユニットを掌握する手の親指の位置に弾性部材から成る指置き手段を設け、前記ＶＴＲスイッチ手段と前記指置き手段は近傍に配置し、更に、表面の弾性部材を一体的に成型するように構成する。
【発明の効果】
【０００９】
本発明によれば、ドライブユニットに指置き部材を設けることにより、如何なる撮影状況においても右手でしっかりとドライブユニットを保持でき、揺れのない安定した映像が撮影できる使い勝手の良いテレビレンズを提供することができる。更に、指置き部材を周囲の部品と一体成型することにより、コストを低減することができる。
【発明を実施するための最良の形態】
【００１０】
本発明の詳細について図面に示す実施の形態を参照して詳細に説明する。
【００１１】
本発明の実施の形態を図１及び図２に基づいて説明する。
【００１２】
図１はテレビレンズを構成するドライブユニット、図２はテレビレンズと肩担ぎタイプのテレビカメラの全景を表したものである。
【００１３】
図２において、１はレンズ本体で内部には撮影光学系があり、外側にはフォーカス、ズーム、アイリスを手動で操作するマニュアルリングがある。２はレンズ本体１に取付けビス３により着脱自在に取付け可能なドライブユニットで、内部にはレンズ本体１の各種マニュアルリングを電動駆動するための図示しないモータや、制御基板、ＣＰＵ等が格納されている。４はレンズ本体１を装着するテレビカメラで、レンズ本体１の撮像光学系を通過した光信号は、テレビカメラ４の内部にある図示しないＣＣＤを介して映像信号に変換される。
【００１４】
ドライブユニット２にはレンズ操作に関わる各種スイッチが設けられ、５はズームをサーボ駆動する時に操作するシーソースイッチで、図中Ｔの方向或いはＷの方向にスイッチを押し込むと、押し込み量に応じた速度でズーム位置がテレ方向或いはワイド方向へ変化する。６はスイッチ操作に応じてカメラへ信号を送り返すリターンスイッチであり、又、図１において、７はテレビカメラ４による録画のＯＮとＯＦＦを指示するＶＴＲスイッチである。
【００１５】
カメラマンがテレビカメラ４を肩に担ぎ、ドライブユニット２を右手で握る時は、通常、人差し指でリターンスイッチ６を、親指でＶＴＲスイッチ７を操作する。これら５シーソースイッチ、６リターンスイッチ、７ＶＴＲスイッチは、テレビ撮影に関わる最も基本的なスイッチで、長年使い慣れているドライブユニット２の操作性を継承する観点から、昔から変わることなく、図示した位置にそれぞれが配置されている。
【００１６】
８はシャトルスイッチと呼ばれるスイッチで、このスイッチを押し続けることでズーム位置をカメラマンが設定した位置に電動駆動し、その状態でスイッチを離すとズームが元の位置に戻る機能である。この機能を用いて１回のボタン操作で２つのズーム位置を電動で簡単に切り換えることができる。９はドライブユニット２を右手で握った時に親指が自然に位置する場所に設けた指置き部材で、ＶＴＲスイッチ７及びシャトルスイッチ８と一体的にゴムで成型している。
【００１７】
指置き部材９はドライブユニット２を右手で握った時に、親指が自然にドライブユニット２の外装面にフィットする位置に配置しているため、ＶＴＲスイッチ７或いはＶＴＲスイッチ８を操作する時を除くと、親指は常にゴム製の指置き部材９の上に位置し、Ｄ／Ｕをしっかりと保持することができる。
【００１８】
ニュース取材の撮影スタイルは多種多様であり、テレビカメラをカメラマンの肩に担ぐ撮影スタイルだけでなく、テレビカメラをカメラマンの頭の上に担ぎ上げ、上方から被写体を撮影する撮影状況も発生する。このようなケースでは右手で相当量の質量を有するテレビカメラとレンズの全重量を支える状況になる。親指は手の指の中でも最も力を発生することができる指であり、このような状況においても親指が指置き９のゴム部材にフィットするために、親指がドライブユニット２の表面上で滑ることなく撮影装置全体をしっかりと強く保持することでき、その結果、テレビカメラ４の揺れを抑えた安定した映像を撮影することが可能になる。
【００１９】
又、通常、肩担ぎ撮影している時にカメラマンはＶＴＲスイッチ７を目視することができないために、ＶＴＲスイッチ７とシャトルスイッチ８を間違えてスイッチを誤操作する危険性があるが、本実施の形態の指置き部材９はＶＴＲスイッチ７とシャトルスイッチ８の間に配置され、又は縦縞の凸形状を有しているために、手探りでＤ／Ｕ表面に触れた場合においても指置き部材９の形状把握が容易であり、自分の指がドライブユニット２のどの位置に触れているかを判断できるので、２つのスイッチを誤って押し間違えること防ぐことができる。ＶＴＲスイッチ７と指置き部材９を近傍に設けているのは、撮影チャンスを逃すことにないように、通常、指置き部材９の上に置いている親指を瞬時にＶＴＲスイッチへ移動するためである。
【００２０】
更に、指置き部材９とその周囲の２つのスイッチをゴムで一体的に成型することで、それぞれ単独のゴムキャップを設けることと比較してコストを低減している。
【図面の簡単な説明】
【００２１】
【図１】本発明に係る実施の形態を示した構成図である。
【図２】本発明に係る実施の形態を示したテレビレンズの外観図である。
【符号の説明】
【００２２】
１    レンズ本体
２    ドライブユニット
３    取付けビス
４    テレビカメラ
５    シーソースイッチ
６    リターンスイッチ
７    ＶＴＲスイッチ
８    シャトルスイッチ
９    指置き部材
【図１】
2006267322.tif 000003
【図２】
2006267322.tif 000004